(57)【要約】【課題】この考案は、金属食器篭の内側へ網を装着してメタルマークの付着を防止と衝撃吸収することを目的としたものである。【解決手段】この考案は、金属食器篭の内側へ挿入設置して使用する食器保護部材であって、前記金属食器篭の内側形状と相似形の網筒又は有底網筒の上縁部に、前記金属食器篭の上部内側と係止できる縁を形成したことを特徴とする食器保護部材により、目的を達成した。【選択図】図１
0003135569.tif 000002
【実用新案登録請求の範囲】
【請求項１】
金属食器篭の内側へ挿入設置して使用する食器保護部材であって、前記金属食器篭の内側形状と相似形の網筒又は有底網筒の上縁部に、前記金属食器篭の上部内側と係止できる縁を形成したことを特徴とする食器保護部材。
【請求項２】
金属食器篭の内側へ挿入設置して使用する食器保護部材であって、前記金属食器篭の内側形状と相似形の網筒又は有底網筒の上縁部に、前記金属食器篭の上部内側と係止できる金属又は合成樹脂製の枠材を取り付けて枠縁を形成したことを特徴とする食器保護部材。
【請求項３】
金属食器篭の内側へ挿入設置して使用する食器保護部材であって、前記金属食器篭の内側形状と相似形の網筒又は有底網筒の上縁部に、前記金属食器篭の上部内側と係止できる金属又は合成樹脂製の枠材を取り付けて枠縁を形成し、前記網筒の網目は内径５ｍｍ〜１０ｍｍとしたことを特徴とする食器保護部材。
【請求項４】
内側へ請求項１、２、３の何れか１項記載の食器保護部材を装着したことを特徴とする金属食器篭。
【考案の詳細な説明】
【技術分野】
【０００１】
この考案は、金属食器篭に収容した食器を保護することを目的とした食器保護部材及びこれを装着した金属食器篭に関する。
【背景技術】
【０００２】
従来金属食器篭における食器の保護としては、金属線に合成樹脂コーティングを施したり、前記金属食器篭の内側に合成樹脂製のクッション部材を装着した金属食器篭が提案されている。
【特許文献１】実開平５−８０４６０
【考案の開示】
【考案が解決しようとする課題】
【０００３】
前記提案されているクッション部材は、数箇所又は十数箇所、又はそれ以上、クッション部材と、金属食器篭とを係着しなければ安定装着できない問題点があった。また前記クッション部材は、開口部が大きいと、食器の形状によっては、食器と金属線とが接触するおそれがあり、開口部を小さくすると、材料が多くなって高価になるのみならず、金属食器篭に食器を入れたまま洗浄すると、食物屑などの流出困難の為に洗浄不完全になるなどの問題点があった。
【課題を解決するための手段】
【０００４】
この考案は、食器保護部材として、金属食器篭の内側と相似形の網筒又は有底網筒を装着し、その縁を金属食器篭の上部内側と係止させたので、着脱容易、装着確実であるのみならず、網目の大きさの選択により、メタルマーク保護と、食物屑の排出が良好になって、前記従来の問題点を解決したのである。
【０００５】
即ちこの考案は、金属食器篭の内側へ挿入設置して使用する食器保護部材であって、前記金属食器篭の内側形状と相似形の網筒又は有底網筒の上縁部に、前記金属食器篭の上部内側と係止できる縁を形成したことを特徴とする食器保護部材であり、金属食器篭の内側へ挿入設置して使用する食器保護部材であって、前記金属食器篭の内側形状と相似形の網筒又は有底網筒の上縁部に、前記金属食器篭の上部内側と係止できる金属又は合成樹脂製の枠材を取り付けて枠縁を形成したことを特徴とする食器保護部材である。
【０００６】
また他の考案は、金属食器篭の内側へ挿入設置して使用する食器保護部材であって、前記金属食器篭の内側形状と相似形の網筒又は有底網筒の上縁部に、前記金属食器篭の上部内側と係止できる金属又は合成樹脂製の枠材を取り付けて枠縁を形成し、前記網筒の網目は内径５ｍｍ〜１０ｍｍとしたことを特徴とする食器保護部材である。
【０００７】
更に金属食器篭の考案は、内側へ請求項１、２、３の何れか１項記載の食器保護部材を装着したことを特徴とする金属食器篭である。
【０００８】
前記網筒は主として合成樹脂製であるが、他の材質（例えば、有機繊維に合成樹脂処理した網筒）でも使用することができる。
【０００９】
前記において網筒を使用する場合には、金属食器篭の底板上へ合成樹脂マットを敷いて用いる。
【００１０】
前記網筒の網目が小さいと、食物屑などが排出し難く、大きいと、食器と、金属縁との接触により、食器にメタルマークが付着するなどの問題点を生じる。そこで網目の内径を５ｍｍ〜１０ｍｍにすれば、前記問題点を解決することができる。
【００１１】
前記において、網筒の枠材を取り付けなくても、口縁に縁布を設けるのみで十分使用することができるが、金属食器篭の構成線と同等の直径（例えば直径３ｍｍ〜５ｍｍ）の枠材を取り付けると、セット時の安定性がより良好になる利点がある。
【００１２】
前記は網筒について説明したが、耐熱性合成樹脂フィルムに小孔を穿設した場合も網と同等であり、この考案に属する。
【００１３】
前記食器保護部材は、篭から取り外して洗濯することが好ましく、枠材を取り除いて洗濯することが更に好ましい。
【００１４】
前記網筒と枠材との取り付けは、ファスナー又は接着テープなどを使用するが、他の取り付け手段を採用することを妨げない。
【考案の効果】
【００１５】
この考案は、金属食器篭内に装着できる網筒を構成したので、着脱が容易であって、食器へのメタルマークの付着を確実に阻止し、併せてクッション効果を奏する効果がある。
【００１６】
また網筒付き金属食器篭は、無作為に食器を収容してもメタルマークが付着するおそれなく、運搬時の衝撃と騒音を吸引し得ると共に、収容のまま食器を洗浄できるなどの諸効果がある。
【考案を実施するための最良の形態】
【００１７】
この考案は、適度の大きさの網目を有する網筒の口縁部に、金属線枠を取り付けた枠付き網筒である。また、金属食器篭内へ前記網筒を収容した金属食器篭である。
【実施例１】
【００１８】
この考案を図１、２について説明すると、適度の大きさの網目１（例えば内径５ｍｍ〜１０ｍｍ）を有する網材２により、収容すべき金属食器篭の内形と相似形の網筒５を形成し、該網筒５の上縁部に金属枠３を装着する。前記金属枠３への装着は、前記網筒５の外縁部上下部に面ファスナーテープ４、４を取り付け、前記面ファスナーテープ４、４を相互に当接係止して、前記金属枠３を固定したものである。
【００１９】
前記金属枠３は、金属食器篭６の上部に固定した内枠７上へ重ねて係止し、網筒５を前記内枠７上へセット固定する。
【００２０】
前記実施例によれば、網筒５は、金属枠３（合成樹脂枠でもよい）によって上縁部を確定しているので、形状の型崩れを生じるおそれなく、金属食器篭内へ正確に保定することができる。
【００２１】
次に図２の実施例について説明する。図２の実施例は、図１の実施例の網筒５に対し、網筒５に底網材８を設けたものである。前記図１の実施例においては、金属食器篭の底内面と、食器とは直接接触するので、食器底にメタルマークが付着するおそれがあった。そこで網筒５を金属食器篭６に使用する時には、合成樹脂マット９を敷設して使用する。前記合成樹脂マット９は、例えばシリコンゴム、テフロン（登録商標）、ポリプロピレン、ナイロンその他耐熱性が大きく、弾性のある合成樹脂発泡シートを用いて成形使用する。
【実施例２】
【００２２】
この考案の他の実施例を図３に基づいて説明すると、金属食器篭６の内側へ網筒５を収容した網筒５付き金属食器篭１０である。
【００２３】
前記実施例において、金属食器篭６内へ網筒５を収容するには、網筒５の両縁を持って、そのまま金属食器篭内へ収容すればよいことになる。
【００２４】
前記の場合に網筒５の金属枠３が、図１（ｂ）の如く金属食器篭６の内枠７に係止されるので、安定保持することができる。
【図面の簡単な説明】
【００２５】
【図１】（ａ）この考案の実施例の一部を破切した斜視図、（ｂ）金属枠と内枠との係止状態を示す説明図。
【図２】同じく他の実施例の一部を破切した斜視図。
【図３】（ａ）同じく金属食器篭内へこの考案の網筒を収容した斜視図、（ｂ）同じく網材の一部拡大図。
【符号の説明】
【００２６】
１  網目
２  網材
３  金属枠
４  面ファスナーテープ
５  網筒
６  金属食器篭
７  内枠
８  底網材
９  合成樹脂マット
【図１】
0003135569.tif 000003
【図２】
0003135569.tif 000004
【図３】
0003135569.tif 000005